(57)【要約】【課題】スタンディング形式やスイングポップ形式の表示用ラベルとして使用できる表示用のラベルを簡単に製造でき、もってその製造コストを安価にできると共に、これまで利用されていなかった面を有効に活用することのできる表示用両面ラベルを提供する。【解決手段】各々がその一面に所要の表示内容が印刷されかつ粘着材を介して相互に粘着される一対の表紙部と、一方の表示部の端部から外方へ延びかつ他方の表示部に面する側に粘着材が付着された支持部とから構成される。表紙部および支持部は慣用のラベル用連続用紙または連続用紙に用いられる用紙から形成される。【選択図】　　図１
2004013041.tif 000002
【特許請求の範囲】
【請求項１】
各々がその一面に所要の表示内容が印刷されかつ粘着材を介して相互に粘着される一対の表紙部と、一方の表示部の端部から外方へ延びかつ他方の表示部に面する側に粘着材が付着された支持部とから構成され、前記表紙部および支持部は慣用のラベル用連続用紙または連続用紙に用いられる用紙から形成される、表示用両面ラベル。
【請求項２】
前記支持部は表示部からの伸延方向に長手軸を有する長方形またはその他の適当な細長い形状を有し、前記粘着材は実質的に支持部の伸延方向の自由端部に設けられる、請求項１に記載の表示用両面ラベル。
【請求項３】
前記支持部の粘着材付着面に対向する側の面には支持部に連続する表示部に印刷される表示内容に関連した表示内容が印刷される、請求項１または２に記載の表示用両面ラベル。
【請求項４】
その裏面に粘着材を介して剥離紙を付着されたラベル用連続用紙の表面に、実質的に同一の寸法形状を有する一対の表示部の領域と支持部の領域とを連続用紙の幅方向の一側端から他側端に向かって順次に画定するように、一対の表示部に表示されるべき所要の表示内容を連続用紙の長さ方向へ並列して印刷し、ラベル用連続用紙の裏面に付着された剥離紙を剥離し、ラベル用連続用紙を一対の表示部の領域間で折り曲げることにより一対の表示部を粘着材を介して相互に粘着させ、前記剥離した剥離紙をラベル用連続用紙の裏面に再び付着させ、表示部の表示内容を含む所定のラベル形状にラベル用連続用紙を打ち抜く、表示用両面ラベルの製造方法。
【発明の詳細な説明】
【０００１】
【発明の属する技術分野】
本発明は、商品や陳列棚等に付着させて商品説明や商品広告等を行うための両面ラベルに関し、特に、スタンディングまたはスイングポップ形式で用いることができる表示用両面ラベルおよびその製造方法に関する。
【０００２】
【従来の技術】
商品や陳列棚等に付着して商品説明や商品広告等を行うためのラベルは知られている。この種のラベルは、一般的に、表示する部分の下方裏面に設けられた粘着材を商品や陳列棚等に付着させて自立させるスタンディング形式と称されるものと、表示する部分から外方へ延びる細長い支持部の自由端を商品や陳列棚等に付着することによって細長い支持部を逆Ｕ字状に湾曲させるスイングポップ形式と称されるものがある。
【０００３】
このようなラベルは、自立させたり逆Ｕ字状に湾曲させたりするのに必要な強度を保有させるために、プラスチック等のような硬い材質のものを用いて形成されており、相対的に製造単価の高いものであった。また、ラベルに設けられる表示は、その製造コストの高騰を避けるために、一面側にのみ設けられており、他面側はブランクのまま残されていた。
【０００４】
【発明が解決しようとする課題】
本発明は、スタンディング形式やスイングポップ形式の表示用ラベルとして使用できる表示用のラベルを簡単に製造でき、もってその製造コストを安価にできると共に、これまで利用されていなかった面を有効に活用することのできる表示用両面ラベルを提供しようとするものである。
【０００５】
【課題を解決するための手段】
本発明による表示用両面ラベルは、各々がその一面に所要の表示内容が印刷されかつ粘着材を介して相互に粘着される一対の表紙部と、一方の表示部の端部から外方へ延びかつ他方の表示部に面する側に粘着材が付着された支持部とから構成される。これらの表紙部および支持部は慣用のラベル用連続用紙や連続用紙に用いられる用紙から形成される。このように構成される本ラベルは、その裏面に粘着材を介して剥離紙を付着されたラベル用連続用紙の表面に、実質的に同一の寸法形状を有する一対の表示部の領域と支持部の領域とを連続用紙の幅方向の一側端から他側端に向かって順次に画定するように、一対の表示部に表示されるべき所要の表示内容を連続用紙の長さ方向へ並列して印刷する。次いで、ラベル用連続用紙の裏面に付着された剥離紙を剥離し、ラベル用連続用紙を一対の表示部の領域間で折り曲げることにより一対の表示部を粘着材を介して相互に粘着させ、剥離した剥離紙をラベル用連続用紙の裏面に再び付着させ、そして、表示部の表示内容を含む所定のラベル形状にラベル用連続用紙を打ち抜くことにより形成される。
【０００６】
このように形成される本ラベルは、基本的に、表示部が商品や陳列棚等の被付着物から外方へ突出した状態となるように、支持部に設けられた粘着材によって表示部が支持部よりも上になる位置関係で被付着物に付着される。支持部が表示部を自立させた状態で支持するとき、スタンディング形式の表示用両面ラベルとなり、各表示部に印刷された表示内容をそれぞれ消費者に提示することができる。一方、支持部が表示部を自立させることができないような場合、表示部の重さによって支持部が逆Ｕ字状に湾曲してスイングポップ形式の表示用両面ラベルとなる。
【０００７】
本発明による表示用両面ラベルはまた、表示部からの伸延方向に長手軸を有する長方形またはその他の適当な細長い形状に支持部を形成し、そして、実質的に支持部の伸延方向の自由端部に粘着材を設けることもできる。支持部を細長い形状に形成することにより、支持部が逆Ｕ字状に湾曲し易くなり、それによりスイングポップ形式での使用をより確実かつ効果的に行うことができる。
【０００８】
本発明による表示用両面ラベルは更に、支持部の粘着材付着面に対向する側の面に、支持部に連続する表示部に印刷される表示内容に関連した表示内容を印刷することもできる。これにより、表示部とそれに連続する支持部とを一つの表示部として使用できるため、より大きな面積での表示を行うことができる。
【０００９】
【発明の実施の形態】
本発明の実施例による表示用両面ラベルは、慣用のラベル用連続用紙から作成される。図１に示すように、本発明のラベルは、実質的に同一の寸法形状を有する一対の表示部１ａおよび１ｂと、表示部１ａおよび１ｂの一方（図示の場合、表示部１ａ）から外方へ延びる支持部２とから構成される。図２に示すように、支持部２の他方の表示部（図示の場合、表示部１ｂ）に面する側の面には粘着材３が付着されており、一対の表示部１ａおよび１ｂは相互に対向する面間を粘着材３で粘着することにより一体化される。表示部１ａ、１ｂの相互に対向側へ面する各表面には、商品説明や商品広告等を行うための所要の表示内容が印刷されている。好ましくは、支持部２の粘着材付着面に対向する側の面には、支持部に連続する表示部１ａに設けられる表示内容に関連した表示内容が印刷されている。
【００１０】
本ラベルは、図３および図４に示すように、支持部２を商品や陳列棚等のような被付着物４に支持部２の粘着材３によって付着させることによりスタンディング形式（図２参照）やスイングポップ形式（図３参照）で使用される。この目的のために、本ラベルを形成する用紙は、被付着物４に付着させたとき、スタンディング形式の場合では、表示部１ａ、１ｂを自立した状態に保てるように（望ましくは、垂直な平面に付着させたときでも）、そして、スイングポップ形式の場合は、支持部２が逆Ｕ字状に曲がるように、適当な硬さや腰等を有するものを選定する必要がある。ここにおいて、ビンや缶や箱等のように曲面や角を有する個所に本ラベルを付着させる場合、用紙に要求される硬さや腰等は相対的に低い水準のもので対応できることは容易に理解されよう。
【００１１】
表示部１ａ、１ｂの寸法形状は、商品説明や商品広告等に適したどのような寸法形状にも形成できる一方、支持部２の寸法形状は、スタンディング形式の場合とスイングポップ形式の場合とで異なる。スタンディング形式の場合、表示部１ａ、１ｂが自立した状態を保てるように、表示部１ａ、１ｂと同一の幅で（必要ならば、表示部１ａ、１ｂよりも大きく）形成される。スイングポップ形式の場合、表示部１ａ、１ｂの重さによって支持部２が逆Ｕ字状に湾曲して揺れ動くように、表示部１ａ、１ｂの幅よりも適当に小さな幅に形成される。ここにおいて、支持部２の被付着物に付着する部分と表示部から外方へ伸延する部分とは必ずしも同一の幅に形成する必要はなく、図４に示すように、より確実な付着力を得るために被付着物に付着する部分を相対的に大きく形成することが望ましい。この場合、好ましくは、被付着物に付着する部分と外方へ伸延する部分との間で折れてしまわないよう、両者間で徐々に大きさが変化するように形成される。
【００１２】
上述のごとく形成される本ラベルは、表示内容を印刷した用紙を所定形状に切り取り、表示部１ａ、１ｂに接着材３を塗布して相互に貼り合わせ、支持部２に接着材３を塗布することによっても作成できるが、主として製造コストの低減を確保するために、図５に関連して説明する手段で作成するのが望ましい。
【００１３】
図５に示す手段に用いられる連続用紙５は、裏面に粘着材を介して剥離紙を付着されたラベル用連続用紙である。連続用紙５は給紙装置６から印刷装置７へ給送され、各表示部１ａおよび１ｂのための一対の表示内容が印刷される。この表示内容は、連続用紙の幅方向の一側端から他側端に向かって配置され、連続用紙の幅方向の他側端には支持部２の領域が画定される。ここにおいて、前述したように支持部２の領域に、支持部２に連続する表示部（図１に示すものの場合、表示部１ａ）の表示内容の一部を構成するように印刷を施すこともできる。印刷された連続用紙５は、その裏面に付着された剥離紙５ａを剥離され後、曲げ装置８により表示部１ａおよび１ｂの領域間で曲げられて表示部１ａと表示部１ｂとが粘着材３によって相互に粘着される。表示部１ａ、１ｂが相互に粘着されると、連続用紙５は先に剥離した剥離紙５ａをその裏面に再び付着させた（実際には、支持部２の領域の粘着材によって付着する。）後、連続用紙５を型抜装置９により表示内容を含む所定のラベル形状に抜き成形し、不要部分を巻取装置１０により巻き取ることにより本ラベルが作成される。
【００１４】
単なる連続用紙を用いて作成する場合、前述の表示部１ａ、１ｂの貼合せを行う前に、糊付装置（図示なし）を用いて表示部１ａ、１ｂの貼り合わされる面に粘着材３をそれぞれ塗布し、そして、同時にまたは表示部１ａ、１ｂの貼合せを行った後に支持部２の被付着物４に付着させる部分に粘着材３を塗布することにより、前述と同様にして作成できることは容易に理解されよう。
【００１５】
【発明の効果】
本発明によれば、慣用のラベル用連続用紙または連続用紙に用いられる用紙を用いて作成されるため、両面に商品説明や商品広告等をそれぞれ提示した表示用ラベルの製造コストを低減することができる。また、連続用紙を給送させ、表示部の印刷、表示部の貼合せ、型抜きという一連の流れ作業により製造することができるため、表示用両面ラベルをより廉価に作成することができ、加えて、支持部の形状を適当に選定することにより、スタンディング形式の表示用両面ラベルにもスイングポップ形式の表示用両面ラベルにも作成することができる。
【図面の簡単な説明】
【図１】本発明の実施例による表示用両面ラベルの展開図である。
【図２】図１に示す表示用両面ラベルの完成状態を示す斜視図である。
【図３】本発明におけるスタンディング形式の表示用両面ラベルの例を示す斜視図である。
【図４】本発明におけるスイングポップ形式の表示用両面ラベルの例を示す斜視図である。
【図５】本発明の実施例による表示用両面ラベルの製造方法を説明するための模式的な図である。
【符号の説明】
１ａ、１ｂ　　表示部　　　　　　　　　　２　　支持部
３　　粘着材　　　　　　　　　　　　　　４　　被付着物
５　　連続用紙　　　　　　　　　　　　　５ａ　剥離紙
６　　給紙装置　　　　　　　　　　　　　７　　印刷装置
８　　曲げ装置　　　　　　　　　　　　　９　　型抜装置
１０　　巻取装置
【図１】
2004013041.tif 000003
【図２】
2004013041.tif 000004
【図３】
2004013041.tif 000005
【図４】
2004013041.tif 000006
【図５】
2004013041.tif 000007